(57)【要約】【課題】イオン発生素子を筺体から取り外すことなく、イオン発生素子の電極の清掃を行うことが可能なイオン発生装置を提供する。【解決手段】このイオン発生装置は、筐体１と、蓋部材４と、放電電極５ａ（５ｂ）を有するイオン発生素子５と、放電電極５ａ（５ｂ）を清掃する清掃部材８とを備えている。そして、放電電極５ａ（５ｂ）と清掃部材８との間の相対位置が可変となっており、蓋部材４を筐体１に近接および離間させることに連動して、放電電極５ａ（５ｂ）と清掃部材８との間の相対位置が変化される。【選択図】図２
2012151077.tif 000002
【特許請求の範囲】
【請求項１】
筐体と、
前記筺体の一部を覆うことが可能な蓋部材と、
前記筐体に装着され、イオンを発生させるための放電電極を有するイオン発生素子と、
前記放電電極に接触することで前記放電電極を清掃する清掃部材とを備え、
前記放電電極と前記清掃部材との間の相対位置が可変となっており、
前記蓋部材を前記筐体に近接および離間させることに連動して、前記放電電極と前記清掃部材との間の相対位置が変化されることを特徴とするイオン発生装置。
【請求項２】
前記蓋部材を前記筐体に近接させることにより、前記放電電極および前記清掃部材が互いに近づいて前記放電電極に前記清掃部材が接触し、前記蓋部材を前記筐体から離間させることにより、前記放電電極および前記清掃部材が互いに離れることを特徴とする請求項１に記載のイオン発生装置。
【請求項３】
前記蓋部材が前記筐体に対して回動可能に取り付けられていることを特徴とする請求項１または２に記載のイオン発生装置。
【請求項４】
前記イオン発生素子と共に前記清掃部材も前記筐体に装着されているとともに、前記筐体の外部に突出する突起が前記イオン発生素子および前記清掃部材のうちの一方に設けられており、
前記蓋部材を前記筐体に近接させたときに前記蓋部材が前記突起を前記筐体の内部に向かって押圧することにより、前記イオン発生素子および前記清掃部材のうちの一方が移動され、前記放電電極および前記清掃部材が互いに近づいて前記放電電極に前記清掃部材が接触することを特徴とする請求項１〜３のいずれかに記載のイオン発生装置。
【請求項５】
前記突起を前記筐体の外部に向かって常に付勢する弾性部材が前記筐体にさらに装着されていることを特徴とする請求項４に記載のイオン発生装置。
【請求項６】
前記弾性部材がコイルスプリングであることを特徴とする請求項５に記載のイオン発生装置。
【請求項７】
前記清掃部材が前記蓋部材に装着されており、
前記蓋部材を前記筐体に近接させたときに、前記蓋部材と共に前記清掃部材も移動することにより、前記放電電極および前記清掃部材が互いに近づいて前記放電電極に前記清掃部材が接触することを特徴とする請求項１〜３のいずれかに記載のイオン発生装置。
【請求項８】
前記イオンが流れる通風経路が前記筐体に設けられ、
前記蓋部材を前記筐体に近接および離間させることに連動して前記清掃部材が移動するようになっているとともに、前記清掃部材を前記通風経路内に突出させるための穴部が前記通風経路を成す壁部に形成されており、
前記蓋部材を前記筐体に近接させることで前記清掃部材を移動させたときに、前記清掃部材が前記穴部を介して前記通風経路内に突出することを特徴とする請求項１〜７のいずれかに記載のイオン発生装置。
【請求項９】
前記蓋部材を前記筐体から離間させることで前記清掃部材を移動させたときに、前記穴部を介してなされる前記通風経路内への前記清掃部材の突出が解除され、前記清掃部材が前記穴部の少なくとも一部を塞ぐことを特徴とする請求項８に記載のイオン発生装置。
【発明の詳細な説明】
【技術分野】
【０００１】
本発明は、イオン発生装置に関する。
【背景技術】
【０００２】
近年、居住空間内の空気をイオンによって清浄化する技術が盛んに用いられている。たとえば、空気清浄機をはじめとするイオン発生装置では、その内部の送風経路の途中にプラスイオンおよびマイナスイオンを発生させるイオン発生素子が配設され、発生したイオンを空気と共に外部の空間に放出するようになっている。
【０００３】
清浄空気中のイオンは、居住空間において浮遊細菌などを不活性化あるいは死滅させるとともに、臭気成分を変性させる。そのため、居住空間全体の空気が清浄化される。
【０００４】
イオンを発生させるためのイオン発生素子には、針状の金属などを放電電極とし、その放電電極に対向して金属板やグリッドなどを配置したものがある（たとえば、特許文献１参照）。他には、対向電極を大地としたもの（対向電極を配置しないもの）もある。このようなイオン発生素子では、放電電極と対向電極（または、大地）との間の空気が絶縁体の役割を果たす。そして、電極に高電圧を印加した際には、電極の先端部（鋭角部）で電界集中が生じ、その電極の先端に極近い空気が絶縁破壊することで放電現象が得られる。
【０００５】
ところで、従来のイオン発生装置は、たとえば、吸込口および吹出口を有する筐体と、筐体内において吸込口と吹出口を連結する空気通路と、空気通路内に配置された送風ファンとを備え、空気通路内のうちの送風ファンに対して下流側にイオン発生素子が配置された構成とされる。
【先行技術文献】
【特許文献】
【０００６】
【特許文献１】特開２００５−１３６４９号公報
【発明の概要】
【発明が解決しようとする課題】
【０００７】
上記した従来のイオン発生装置の構成においては、空気中の塵埃が筺体内に侵入するのを抑制するため、塵埃を捕集するフィルタを吸込口に取り付けることができる。しかし、フィルタによる塵埃の捕集には限界があり、フィルタで捕集しきれない塵埃が筺体内に侵入してしまう。そして、筺体内に塵埃が侵入すると、イオン発生素子の電極に塵埃が付着して放電の妨げとなり、時間の経過と共にイオンの発生量が減少するという不都合が生じる。
【０００８】
この不都合を解消するためには、イオン発生素子の電極をブラシなどで清掃し、電極に付着した塵埃を除去すれば良い。このようにすれば、イオンの発生量はほぼ元通りに回復する。
【０００９】
しかしながら、イオン発生素子の電極を清掃するためには、そのイオン発生素子を筺体から取り外さなければならず、非常に手間がかかる。したがって、イオン発生素子の電極の清掃が行われないまま使用され続ける場合がある。この場合には、イオン発生素子の電極に塵埃が付着され続け、結果として、時間の経過と共にイオンの発生量が減少し、除菌や消臭などの効果が得られなくなってしまう。
【００１０】
本発明は、上記課題を解決するためになされたものであり、イオン発生素子を筺体から取り外すことなく、イオン発生素子の電極の清掃を行うことが可能なイオン発生装置を提供することを目的とする。
【課題を解決するための手段】
【００１１】
上記目的を達成するために、本発明のイオン発生装置は、筐体と、筺体の一部を覆うことが可能な蓋部材と、筐体に装着され、イオンを発生させるための放電電極を有するイオン発生素子と、放電電極に接触することで放電電極を清掃する清掃部材とを備えている。そして、放電電極と清掃部材との間の相対位置が可変となっており、蓋部材を筐体に近接および離間させることに連動して、放電電極と清掃部材との間の相対位置が変化される。なお、蓋部材を筐体に近接させる動作は、蓋部材を閉じる（蓋部材で筐体の一部を覆う）動作に相当し、蓋部材を筐体から離間させる動作は、蓋部材を開く動作に相当する。
【００１２】
この発明の構成によると、蓋部材を筐体に近接および離間させる（蓋部材を開閉させる）ことだけで、放電電極および清掃部材を互いに近づけて放電電極に清掃部材を接触させたり、放電電極および清掃部材を互いに離したりする、といったことが行える。したがって、筐体からイオン発生素子を取り外すことなく、放電電極の清掃を行うことが可能となる。
【００１３】
また、本発明の構成において、蓋部材を筐体に近接させることにより、放電電極および清掃部材が互いに近づいて放電電極に清掃部材が接触し、蓋部材を筐体から離間させることにより、放電電極および清掃部材が互いに離れるようになっていることが好ましい。このように構成すれば、装置の不使用時に蓋部材を筐体に近接させる（蓋部材を閉じる）ようにすると、その動作に連動して清掃部材による放電電極の清掃が行われるので、放電電極の清掃を行うための清掃動作を別途行う必要がなくなる。一方、装置の使用時に蓋部材を筐体から離間させる（蓋部材を開く）ようにすると、その動作に連動して放電電極に対する清掃部材の接触が解除され、イオン発生素子においてイオンの生成が可能な状態となる。
【００１４】
また、本発明の構成において、蓋部材が筐体に対して回動可能に取り付けられていることが好ましい。このように構成すれば、蓋部材を一方向に回動させることにより蓋部材が筐体に近接され、蓋部材を他方向に回動させることにより蓋部材が筐体から離間される。したがって、放電電極および清掃部材を互いに近づけて放電電極に清掃部材を接触させたり、放電電極および清掃部材を互いに離したりする、といった動作を容易に行うことができる。
【００１５】
また、本発明の構成において、イオン発生素子と共に清掃部材も筐体に装着されているとともに、筐体の外部に突出する突起がイオン発生素子および清掃部材のうちの一方に設けられており、蓋部材を筐体に近接させたときに蓋部材が突起を筐体の内部に向かって押圧することにより、イオン発生素子および清掃部材のうちの一方が移動され、放電電極および清掃部材が互いに近づいて放電電極に清掃部材が接触するようになっていてもよい。このように構成すれば、蓋部材を筐体に近接させることにより、容易に、清掃部材による放電電極の清掃を行うことができる。
【００１６】
この構成においては、突起を筐体の外部に向かって常に付勢する弾性部材が筐体にさらに装着されていることが好ましい。このように構成すれば、蓋部材を筺体から離間させることで蓋部材による突起に対する押圧を解除したときに、弾性部材の付勢力のみが突起に加わることにより、清掃部材および放電電極が互いに離された状態で確実に保持される。すなわち、蓋部材を筺体から離間させたときには、確実に、イオン発生素子においてイオンの生成が可能な状態となる。また、筐体に設けられる通風経路も確実に確保される。
【００１７】
このような弾性部材を用いる場合、その弾性部材がコイルスプリングであることがより好ましい。このように構成すれば、弾性部材が通風経路内に配置されていたとしても、弾性部材が通風経路内の空気の流れの妨げになることは殆どない。
【００１８】
また、本発明の構成において、清掃部材が蓋部材に装着されており、蓋部材を筐体に近接させたときに、蓋部材と共に清掃部材も移動することにより、放電電極および清掃部材が互いに近づいて放電電極に清掃部材が接触するようになっていてもよい。このように構成すれば、蓋部材を筐体に近接させることにより、容易に、清掃部材による放電電極の清掃を行うことができる。
【００１９】
さらに、本発明の構成において、イオンが流れる通風経路が筐体に設けられ、蓋部材を筐体に近接および離間させることに連動して清掃部材が移動するようになっているとともに、清掃部材を通風経路内に突出させるための穴部が通風経路を成す壁部に形成されており、蓋部材を筐体に近接させることで清掃部材を移動させたときに、清掃部材が穴部を介して通風経路内に突出するようになっていることが好ましい。このように構成すれば、容易に、清掃部材が放電電極に接触するように、放電電極および清掃部材を互いに近づけることができる。
【００２０】
そして、この構成においては、蓋部材を筐体から離間させることで清掃部材を移動させたときに、穴部を介してなされる通風経路内への清掃部材の突出が解除され、清掃部材が穴部の少なくとも一部を塞ぐようになっていることがより好ましい。このように構成すれば、通風経路の壁部に穴部が形成されていたとしても、蓋部材を筐体から離間させたときには、通風経路を空気がスムーズに流れる。
【発明の効果】
【００２１】
以上のように、本発明によれば、筐体からイオン発生素子を取り外すことなく、放電電極の清掃を行うことが可能なイオン発生装置を容易に得ることができる。
【図面の簡単な説明】
【００２２】
【図１】本発明の第１実施形態によるイオン発生素子の側面図（イオン発生装置が設置面に設置された状態の図）である。
【図２】本発明の第１実施形態によるイオン発生装置の断面図（蓋部材が筺体から離間された状態（蓋部材が開かれた状態）の図）である。
【図３】本発明の第１実施形態によるイオン発生装置の断面図（蓋部材が筺体に近接された状態（蓋部材が閉じられた状態）の図）である。
【図４】本発明の第１実施形態によるイオン発生装置の構成部材であるイオン発生素子の斜視図である。
【図５】本発明の第２実施形態によるイオン発生装置の断面図（蓋部材が筺体から離間された状態（蓋部材が開かれた状態）の図）である。
【図６】本発明の第２実施形態によるイオン発生装置の断面図（蓋部材が筺体に近接された状態（蓋部材が閉じられた状態）の図）である。
【図７】本発明の第３実施形態によるイオン発生装置の断面図（蓋部材が筺体から離間された状態（蓋部材が開かれた状態）の図）である。
【図８】本発明の第３実施形態によるイオン発生装置の断面図（蓋部材が筺体に近接された状態（蓋部材が閉じられた状態）の図）である。
【図９】本発明の第３実施形態によるイオン発生装置の構成部材であるイオン発生素子の斜視図である。
【図１０】本発明の第４実施形態によるイオン発生装置の断面図（蓋部材が筺体から離間された状態（蓋部材が開かれた状態）の図）である。
【図１１】本発明の第４実施形態によるイオン発生装置の断面図（蓋部材が筺体に近接された状態（蓋部材が閉じられた状態）の図）である。
【発明を実施するための形態】
【００２３】
（第１実施形態）
本発明の第１実施形態によるイオン発生装置の構成について、図１〜図４を参照して説明する。
【００２４】
第１実施形態のイオン発生装置は携帯型の装置であって、図１に示すように、携帯可能なサイズに形成された薄箱状の筐体１を少なくとも備えている。この筐体１には、後に詳細に説明するが、イオン発生装置を構成する種々の部材が装着されている。
【００２５】
筐体１の厚み方向に対して直交する前面部１ａには、図示しないが、たとえば、液晶表示パネルなどからなる表示部が設けられる。そして、その表示部には、イオン発生装置の動作状態などが表示される。
【００２６】
筐体１の前面部１ａとは反対側の背面部１ｂには、図２に示すように、吸込口２が形成されており、吸込口２には格子状のグリル２ａが取り付けられている。また、筐体１の前面部１ａおよび背面部１ｂに繋がる側面部のうちの所定の側面部１ｃには、吹出口３が形成されており、吹出口３には格子状のグリル３ａが取り付けられている。そして、筐体１の内部には、吸込口２および吹出口３を繋ぐような通風経路Ｘが形成されている。
【００２７】
また、筐体１の背面部１ｂのうちの吹出口３側とは反対側の部分には、その部分を支点にして開閉可能（回動可能）とされた蓋部材４が取り付けられている。そして、蓋部材４は、任意の開閉位置（回動位置）で保持できるようになっている。このため、蓋部材４を開いた状態（蓋部材４を筐体１の背面部１ｂから離間させた状態）で保持しておけば、その蓋部材４によって、筐体１を設置面に対して任意の角度で設置することが可能となる。すなわち、この蓋部材４は、筐体１を支持するスタンド（支持部材）として機能する。
【００２８】
一方で、図３に示すように、蓋部材４を閉じた状態（蓋部材４を筐体１の背面部１ｂに近接させた状態）にしておけば、イオン発生装置をコンパクトにまとめることができる。なお、蓋部材４が閉じられた状態においては、蓋部材４によって吸込口２が覆われる。このため、装置の不使用時に蓋部材４を閉じるようにしておけば、吸込口２から筐体１の内部に塵埃などが混入するのを抑制することができる。
【００２９】
なお、言うまでもないが、蓋部材４の開閉動作というのは、蓋部材４を一方向（蓋部材４を閉じる方向）に回動させたり、蓋部材４を他方向（蓋部材４を開く方向）に回動させたりする動作のことである。すなわち、蓋部材４を一方向に回動させれば、蓋部材４が筐体１の背面部１ｂに近接し、蓋部材４を他方向に回動させれば、蓋部材４が筐体１の背面部１ｂから離間される。
【００３０】
図２に戻って、筐体１の内部には、イオン発生素子５と、充電池６と、送風ファン７とが少なくとも収容されている。
【００３１】
イオン発生素子５は、図２および図４に示すように、針状の放電電極５ａおよび５ｂをそれぞれ有する２つのイオン発生部を持ち、それら２つのイオン発生部が保持体５ｃによって保持された構造となっている。２つのイオン発生部に電圧を供給する給電部は、図示しない駆動回路内に設けられている。そして、給電部からの電圧が２つのイオン発生部に供給されることによって、放電電極５ａおよび５ｂにおいてイオンが発生される。
【００３２】
一方の放電電極５ａを有するイオン発生部は、正イオンを発生するものであり、他方の放電電極５ｂを有するイオン発生部は、負イオンを発生するものである。なお、２つのイオン発生部のそれぞれから発生されるイオンについては、その極性を所定時間毎に切り換えてもよい。
【００３３】
一方の放電電極５ａを有するイオン発生部に正電圧が印加されると、放電によるプラズマ領域で空気中の水分子が電気的に分解し、主に水素イオンＨ+が生成される。そして、生成された水素イオンの周りに空気中の水分子が凝集し、正のクラスターイオンＨ+（Ｈ2Ｏ）mが形成される。「ｍ」は、任意の自然数である。
【００３４】
他方の放電電極５ｂを有するイオン発生部に負電圧が印加されると、放電によるプラズマ領域で空気中の酸素分子が電気的に分解し、主に酸素イオンＯ2-が生成される。そして、生成された酸素イオンの周りに空気中の水分子が凝集し、負のクラスターイオンＯ2-（Ｈ2Ｏ）nが形成される。「ｎ」は、０または任意の自然数である。
【００３５】
なお、正のイオンと負のイオンとを発生させるのではなく、負のイオンのみを発生させるようにしてもよい。
【００３６】
また、イオン発生素子５は、図２に示すように、筐体１の内部の前面部１ａ側の領域（筐体１の前面部１ａと通風経路Ｘの壁部との間の領域）において、通風経路Ｘの壁部の一部分と対面するように配置されている。この通風経路Ｘの壁部のうちのイオン発生素子５と面する部分（吹出口３の近傍の部分）には、開口形状が円形状とされたイオン通過穴が２つ形成されている。そして、放電電極５ａおよび５ｂは、通風経路Ｘのイオン通過穴を介して通風経路Ｘ内に露出されている。これにより、イオン発生素子５で発生したイオンは、通風経路Ｘのイオン通過穴を介して通風経路Ｘ内に流入する。
【００３７】
充電池６は、イオン発生素子５と同様、筐体１の内部の前面部１ａ側の領域（筐体１の前面部１ａと通風経路Ｘの壁部との間の領域）に配置されている。
【００３８】
送風ファン７は、通風経路Ｘ内の吸込口２の近傍領域において、その吸気口が吸込口２と対向するように配置されている。これによって、送風ファン７が駆動されると、矢印Ａ方向に空気（外気）が流動し、吸込口２を介して通風経路Ｘ内（すなわち、筐体１の内部）に空気が送入される。
【００３９】
そして、通風経路Ｘ内に送入された空気は、通風経路Ｘによって吹出口３に向かって導かれ、矢印Ｂ方向に吹き出される。このとき、通風経路Ｘ内のうちの送風ファン７の下流側にイオンが流入しているので、そのイオンも空気と共に吹出口３から吹き出される。
【００４０】
送風ファン７としては、小型のターボファンであってもよいし、小型のシロッコファンであってもよい。
【００４１】
なお、既に述べたが、吸込口２には格子状のグリル２ａが取り付けられている。したがって、吸込口２から送風ファン７に指が挿入される、という危険性はない。
【００４２】
また、吸込口２のグリル２ａには、網目状のフィルタ２ｂが取り付けられている。このため、吸込口２から空気と共に塵埃が吸い込まれたとしても、フィルタ２ｂの網目よりも大きい塵埃については、通風経路Ｘ内（すなわち、筐体１の内部）に流入するのを抑制することができる。
【００４３】
フィルタ２ｂによって除去しきれない塵埃については、通風経路Ｘ内に流入して放電電極５ａ（５ｂ）に付着する場合がある。そこで、第１実施形態では、放電電極５ａ（５ｂ）を清掃する清掃部材８が筐体１に装着されている。この清掃部材８は、放電電極５ａ（５ｂ）と接触することで放電部材５ａ（５ｂ）に付着した塵埃を除去するようになっており、たとえば、研磨剤を含有した弾性体からなっている。なお、研磨剤の硬度は、放電電極５ａ（５ｂ）の硬度よりも低く設定されている。
【００４４】
清掃部材８の筐体１への装着は、清掃部材８を円柱部材（本発明の「突起」に相当）９に取り付け、その円柱部材９を筐体１に取り付けることによってなされている。具体的に言うと、円柱部材９は、その一端側の部分に円盤状の台座９ａを有している。そして、清掃部材８は、円柱部材９の台座９ａに取り付け固定されている。
【００４５】
この円柱部材９の筐体１に対する取り付け位置としては、筐体１の背面部１ｂとなっている。また、筐体１の背面部１ｂに円柱部材９が取り付けられた状態においては、円柱部材９の一端側の部分（清掃部材８が取り付けられた台座９ａを有する部分）が筐体１の内部に配置され、円柱部材９の他端側の部分が筐体１の背面部１ｂに形成された突出穴を介して内部から外部に突出されている。なお、筐体１の突出穴の開口径は、円柱部材９の台座９ａの直径よりも小さくなっている。したがって、円柱部材９が筐体１から抜け落ちることはない。ただし、円柱部材９は、筐体１の突出穴に挿入された状態で摺動する。
【００４６】
筐体１の内部における円柱部材９の台座９ａの配置領域は、筐体１の内部の背面部１ｂ側の領域（筐体１の背面部１ｂと通風経路Ｘの壁部との間の領域）である。そして、円柱部材９の台座９ａに固定された清掃部材８が通風経路Ｘの壁部と当接しないように、通風経路Ｘの壁部には清掃穴（本発明の「穴部」に相当）１０が形成されている。この清掃穴１０は、通風経路Ｘのイオン通過穴と重畳している。したがって、清掃穴１０から露出される清掃部材８は、通風経路Ｘのイオン通過穴から露出される放電電極５ａ（５ｂ）と向き合った状態となっている。
【００４７】
清掃穴１０には、コイルスプリング（本発明の「弾性部材」に相当）１１が嵌め込まれている。このコイルスプリング１１の一端は、通風経路Ｘの壁部のうちのイオン発生素子５側の部分に当接しており、コイルスプリング１１の他端は、円柱部材９の台座９ａに当接している。言い換えると、通風経路Ｘの壁部のうちのイオン発生素子５側の部分と円柱部材９の台座９ａとの間にコイルスプリング１１が挟まれており、それによって、円柱部材９の台座９ａが筐体１の背面部１ｂに向かって常に付勢されている。このため、円柱部材９のうちの筐体１の突出穴から突出した他端側の部分（以下、単に突出部と言う）が筐体１の外部から内部に向かって押圧されない限り、円柱部材９の台座９ａに固定された清掃部材８が通風経路Ｘ内に突出されることはなく、もちろん、清掃部材８が放電電極５ａ（５ｂ）に接触することもない。
【００４８】
このようにコイルスプリング１１を配置した場合には、コイルスプリング１１の線径が太く、かつ、コイルスプリング１１の巻数が多いと、通風経路Ｘにおける空気の流れがコイルスプリング１１によって阻害されてしまう。したがって、通風経路Ｘにおける空気の流れを良好にするために、コイルスプリング１１の線径は細くされ、かつ、コイルスプリング１１の巻数は少なくされている。
【００４９】
また、コイルスプリング１１は、電気的に浮いた状態にされていて、アースに落とされていない。このようにした理由としては、コイルスプリング１１をアースに落とすようにすると、イオン発生素子５で発生したイオンがコイルスプリング１１を通じて吸収され、吹出口３から吹き出されるイオンが減少してしまうからである。
【００５０】
ここで、図３に示すように、蓋部材４を開けた状態（蓋部材４を筐体１の背面部１ｂから離間させた状態）から蓋部材４を閉じた状態（蓋部材４を筐体１の背面部１ｂに近接させた状態）にすると、蓋部材４によって、円柱部材９の突出部が筐体１の外部から内部に向かって押圧される。このため、円柱部材９の台座９ａがコイルスプリング１１の付勢力に反して通風経路Ｘ側に向かって移動し、それに伴って、清掃部材８も通風経路Ｘ側に向かって移動する。最終的には、清掃穴１０を介して清掃部材８が通風経路Ｘ内に突出し、さらには、清掃部材８の一部（上端部）がイオン発生素子５の内部にまで侵入する。そして、放電電極５ａ（５ｂ）の先端が清掃部材８に埋没（接触）する。
【００５１】
これによって、清掃部材８による放電電極５ａ（５ｂ）の清掃がなされ、放電電極５ａ（５ｂ）の先端に付着した塵埃が除去される。なお、放電電極５ａ（５ｂ）の先端が清掃部材８にかるく触れる程度でも、放電電極５ａ（５ｂ）の先端に付着した塵埃は除去される。
【００５２】
ところで、蓋部材４を単に閉じただけでは、コイルスプリング１１の付勢力が円柱部材９を介して蓋部材４に伝わり、蓋部材４が開いてしまう。したがって、蓋部材４の回動支点側とは反対側には、筐体１に係合可能なロック爪１２が設けられている。そして、蓋部材４が閉じられた状態においては、ロック爪１２が筐体１に係合され、それによって、蓋部材４が簡単に開かないようにされている。
【００５３】
ロック爪１２は摘み部１２ａを有しており、蓋部材４が閉じられた状態においては、ロック爪１２の摘み部１２ａが筐体１の側面部（吹出口３が形成された部分）１ｃから外部に突出している。そして、筐体１に対するロック爪１２の係合の解除は、筐体１の側面部１ｃ側からロック爪１２の摘み部１２ａを横方向にスライドさせることでなされる。
【００５４】
また、蓋部材４が閉じられると、放電電極５ａ（５ｂ）の先端が清掃部材８に埋没するため、放電によるイオンの生成が困難になる。したがって、蓋部材４が閉じられた状態においては、イオン発生素子５に電力の供給が行われないように制御するのが好ましい。このような制御を行うため、蓋部材４の開閉状態を検知するマイクロスイッチ１３が筐体１の背面部１ｂから外部に突出されている。これにより、蓋部材４を閉じると、蓋部材４によってマイクロスイッチ１３が押されるので、蓋部材４が閉じられた状態であることが容易に検知される。そして、このように、蓋部材４が閉じられた状態であるか否かを検知することができれば、蓋部材４が閉じられたときに、イオン発生素子５への電力の供給を停止することが可能となる。
【００５５】
蓋部材４が閉じられた状態（蓋部材４が筐体１の背面部１ｂに近接した状態）から蓋部材４が開けられた状態（蓋部材４が筐体１の背面部１ｂから離間された状態）にするためには、ロック爪１２の摘み部１２ａを横方向にスライドさせ、それによって、筐体１に対するロック爪１２の係合を解除すればよい。筐体１に対するロック爪１２の係合を解除すれば、コイルスプリング１１の付勢力が円柱部材９を介して蓋部材４に伝わっていることから、抵抗なく蓋部材４が開く。言い換えると、蓋部材４が円柱部材９の突出部によって押圧される。これにより、図２に示す状態となる。
【００５６】
蓋部材４が開くと、マイクロスイッチ１３によって蓋部材４が開かれた状態であることが検知され、イオン発生素子５への通電が可能となる。
【００５７】
さらに、蓋部材４が開かれた状態においては、円柱部材９の突出部は、筐体１の外部から内部に向かって押圧されなくなる。このため、円柱部材９の台座９ａがコイルスプリング１１で付勢されていることから、筐体１の内部の背面部１ｂ側の領域（筐体１の背面部１ｂと通風経路Ｘの壁部との間の領域）に円柱部材９の台座９ａが移動するとともに、円柱部材９の台座９ａが筐体１の背面部１ｂの内面に当接して保持される。すなわち、筐体１の内部の背面部１ｂ側の領域に円柱部材９の台座９ａが収容された状態となる。
【００５８】
このときには、円柱部材９の台座９ａに固着された清掃部材８も、筐体１の内部の背面部１ｂ側の領域に収容された状態となる。すなわち、蓋部材４が開くと、放電電極５ａ（５ｂ）が清掃部材８から抜脱される。なお、既に述べたように、清掃部材８に混入されている研磨剤の硬度は、放電電極５ａ（５ｂ）の硬度よりも低い。したがって、放電電極５ａ（５ｂ）が清掃部材８に対して埋没および抜脱される際に、放電電極５ａ（５ｂ）が摩耗することは殆どない。
【００５９】
また、筐体１の内部の背面部１ｂ側の領域に清掃部材８が収容された状態においては、コイルスプリング１１の付勢力のみが円柱部材９の台座９ａに加わり続けるため、円柱部材９の台座９ａに固着された清掃部材８が放電電極５ａ（５ｂ）から離された状態で確実に保持され、清掃部材８が放電電極５ａ（５ｂ）に接触することはない。このため、イオン発生素子５においてイオンの生成が可能となる。
【００６０】
さらに、この状態においては、清掃部材８の上面（円柱部材９の台座９ａに密着している面とは反対側の面）が清掃穴１０から露出しているが、清掃部材８の上面および通風経路Ｘの内壁面は互いに略面一となっている。したがって、通風経路Ｘに残るのはコイルスプリング１１だけとなり、通風経路Ｘにおける空気の流れが殆ど阻害されない。さらに、清掃穴１０の大部分は清掃部材８で塞がれるので、送風ファン７によって送られた空気が通風経路Ｘをスムーズに流れる。
【００６１】
第１実施形態では、上記のように構成することによって、蓋部材４を回動させることで蓋部材４の開閉動作を行うと、放電電極５ａ（５ｂ）と清掃部材８との間の相対位置が変化される。すなわち、蓋部材４の開閉動作を行うだけで、放電電極５ａ（５ｂ）および清掃部材８を互いに近づけて放電電極５ａ（５ｂ）に清掃部材８を接触させたり、放電電極５ａ（５ｂ）および清掃部材８を互いに離したりする、といったことが行える。したがって、筐体１からイオン発生素子５を取り外すことなく、放電電極５ａ（５ｂ）の清掃を行うことが可能となる。
【００６２】
また、第１実施形態では、装置の不使用時に蓋部材４を閉じたときに、その動作に連動して清掃部材８による放電電極５ａ（５ｂ）の清掃が行われるので、放電電極５ａ（５ｂ）の清掃を行うための清掃動作を別途行う必要がなくなる。一方、装置の使用時に蓋部材４を開ければ、その動作に連動して放電電極５ａ（５ｂ）に対する清掃部材８の接触が解除され、イオン発生素子５においてイオンの生成が可能な状態となる。
【００６３】
なお、上記した第１実施形態の構成において、清掃部材８を樹脂製のブラシとしてもよい。樹脂製のブラシの具体的な材料としては、たとえば、ＰＰ、ナイロン、アクリルまたはＰＥＴなどがある。このような樹脂製のブラシを清掃部材８として用いたとしても、放電電極５ａ（５ｂ）を傷つけたり摩耗させてしまったりすることはない。
【００６４】
（第２実施形態）
以下に、図５および図６を参照して、本発明の第２実施形態によるイオン発生装置の構成について説明する。なお、以下の説明では、第１実施形態で使用された部材と同一の機能を有する部材については、同一の符号を付しており、その詳細な説明は省略している。
【００６５】
第２実施形態では、円柱部材２１の一端に清掃部材８が取り付けられ、その円柱部材２１の他端が蓋部材４に取り付けられている。すなわち、第２実施形態では、第１実施形態とは異なり、蓋部材４に清掃部材８が装着された構成となっている。
【００６６】
また、筐体１の背面部１ｂ側には、筐体１の背面部１ｂから通風経路Ｘにまで達する貫通穴２２が設けられている。そして、蓋部材４が閉じられたときに、清掃部材８が貫通穴２２を介して通風経路Ｘ内に突出し、最終的には、清掃部材８の一部（上端部）がイオン発生素子５の内部にまで侵入するようになっている。そして、イオン発生素子５の内部にまで侵入した清掃部材８の一部は、放電電極５ａ（５ｂ）の先端に接触する。すなわち、蓋部材４が閉じられると、清掃部材８によって放電電極５ａ（５ｂ）の先端の清掃が行われる。
【００６７】
第２実施形態では、上記のように構成することによって、第１実施形態と同様、筐体１からイオン発生素子５を取り外すことなく、放電電極５ａ（５ｂ）の清掃を行うことが可能となる。
【００６８】
また、第２実施形態では、蓋部材４に清掃部材８を装着しているので、清掃部材８を移動させるための複雑な機構部を筐体１に装着する必要がなく、イオン発生装置の構造を簡素化することができる。
【００６９】
また、第２実施形態では、蓋部材４に清掃部材８を装着しているので、蓋部材４を開いたときには清掃部材８が露出する。このため、清掃部材８の手入れを簡単に行うことができる。
【００７０】
（第３実施形態）
以下に、図７〜図９を参照して、本発明の第３実施形態によるイオン発生装置の構成について説明する。なお、以下の説明では、第１実施形態で使用された部材と同一の機能を有する部材については、同一の符号を付しており、その詳細な説明は省略している。
【００７１】
第３実施形態では、筐体１の内部において、イオン発生素子３１そのものが回動可能となっている。
【００７２】
この第３実施形態のイオン発生素子３１は、第１実施形態のイオン発生素子５と同様、放電電極３１ａおよび３１ｂを有しているとともに、それらが保持体３１ｃによって保持された構造となっている。ただし、第３実施形態では、第１実施形態とは異なり、イオン発生素子３１に回動軸３１ｄが設けられており、その回動軸３１ｄが筐体１の内部に設けられた支持部（図示せず）によって支持されている。これによって、筐体１の内部において、イオン発生素子３１が回動可能になっている。
【００７３】
放電電極３１ａ（３１ｂ）はイオン発生素子３１のうちの一方端部側に設けられ、イオン発生素子３１のうちの回動軸３１ｄを挟んで一方端部側とは反対の他方端部側には、筐体１の背面部１ｂに形成された突出穴を介して内部から外部に突出する突起３１ｅが設けられている。これにより、たとえば、筐体１の内部において、イオン発生素子３１の一方端部が筐体１の前面部１ａ側に向かって移動されると、イオン発生素子３１の他方端部が筐体１の背面部１ｂ側に向かって移動され、イオン発生素子３１の一方端部が筐体１の背面部１ｂ側に向かって移動されると、イオン発生素子３１の他方端部が筐体１の前面部１ａ側に向かって移動される。言い換えると、回動軸３１ｄを支点としてイオン発生素子３１を回動させることにより、放電電極３１ａ（３１ｂ）を筐体１の前面部１ａ側に向かって移動させたり、筐体１の背面部１ｂ側に向かって移動させたりすることができる。
【００７４】
また、筐体１の内部には、イオン発生素子３１の他方端部（突起３１ｅが設けられた端部）を筐体１の背面部１ｂ側に向かって常に付勢するスプリング３２が設けられている。これにより、イオン発生素子３１の一方端部（放電電極３１ａ（３１ｂ））は、常に筐体１の前面部１ａ側に向かって移動しようとしている。このため、イオン発生素子３１の一方端部（放電電極３１ａ（３１ｂ））を筐体１の背面部１ｂ側に向かって移動させるためには、スプリング３２の付勢力に反して、イオン発生素子３１の突起３１ｅを筐体１の外部から内部に向かって押圧しなければならない。
【００７５】
さらに、第３実施形態では、通風経路Ｘの壁部のうちのイオン発生素子３１側の部分がイオン発生素子３１そのものからなっている。そして、その通風経路Ｘ内に清掃部材８が配置されている。具体的に言うと、清掃部材８は、通風経路Ｘの壁部のうち、筐体１の背面部１ｂ側の壁部の内面上に取り付けられている。
【００７６】
このようになっていれば、蓋部材４が閉じられたときに、蓋部材４によってイオン発生素子３１の突起３１ｅが筐体１の外部から内部に向かって押圧され、スプリング３２の付勢力に反して放電電極３１ａ（３１ｂ）が筐体１の背面部１ｂ側に向かって移動される。これにより、放電電極３１ａ（３１ｂ）の先端が清掃部材８に埋没（接触）し、清掃部材８による放電電極３１ａ（３１ｂ）の清掃がなされる。また、このときには、イオン発生素子３１の一方端部によって、通風経路Ｘが遮断された状態になる。
【００７７】
一方で、蓋部材４が開かれたときには、蓋部材４によるイオン発生素子３１の突起３１ｅに対する押圧が解除され、スプリング３２の付勢力によって放電電極３１ａ（３１ｂ）が筐体１の前面部１ａ側に向かって移動される。これにより、清掃部材８から放電電極３１ａ（３１ｂ）が抜脱されるとともに、通風経路Ｘが確保される。
【００７８】
第３実施形態では、上記のように構成することによって、第１実施形態と同様、筐体１からイオン発生素子３１を取り外すことなく、放電電極３１ａ（３１ｂ）の清掃を行うことが可能となる。
【００７９】
（第４実施形態）
以下に、図１０および図１１を参照して、本発明の第４実施形態によるイオン発生装置の構成について説明する。なお、以下の説明では、第１実施形態で使用された部材と同一の機能を有する部材については、同一の符号を付しており、その詳細な説明は省略している。
【００８０】
第４実施形態のイオン発生素子４１の構造は、第１実施形態のイオン発生素子５の構造と略同じである。すなわち、このイオン発生素子４１は、放電電極４１ａおよび４１ｂを有しているとともに、それらが保持体４１ｃによって保持された構造となっている。ただし、第４実施形態では、第１実施形態とは異なり、放電電極４１ａ（４１ｂ）の先端部が約９０度に曲げられており、それにより、放電電極４１ａ（４１ｂ）の先端が通風方向と同じ方向に向けられている。
【００８１】
また、第４実施形態では、樹脂製（たとえば、ＰＰ、ナイロン、アクリルまたはＰＥＴなど）のブラシからなる清掃部材４２が用いられており、その清掃部材４２が筐体１に装着されている。清掃部材４２の筐体１への装着は、清掃部材４２を円柱部材（本発明の「突起」に相当）４３に取り付け、その円柱部材４３を筐体１の背面部１ｂに取り付けることによってなされている。
【００８２】
円柱部材４３は、その一方端部に清掃部材４２を取り付けるための部分を有しているとともに、一方端部と他方端部との間に鍔部４３ａを有している。そして、筐体１の背面部１ｂに円柱部材４３が取り付けられた状態では、円柱部材４３の一方端部（清掃部材４２が取り付けられた部分）は、筐体１の内部の背面部１ｂ側の領域（筐体１の背面部１ｂと通風経路Ｘの壁部との間の領域）に配置され、円柱部材４３の他方端部は、筐体１の背面部１ｂに形成された突出穴を介して内部から外部に突出されている。また、円柱部材４３の鍔部４３ａは、円柱部材４３の一方端部と共に筐体１の内部の背面部１ｂ側の領域に配置されている。
【００８３】
さらに、筐体１の内部の背面部１ｂ側の領域には、スプリング４４が配置されている。このスプリング４４の一方端は、通風経路Ｘの壁部のうちの清掃穴１０が形成された部分に当接し、スプリング４４の他方端は、円柱部材４３の鍔部４３ａに当接している。これにより、円柱部材４３の鍔部４３ａは、常に筐体１の背面部１ｂに向かって付勢されている。
【００８４】
このため、円柱部材４３の他方端部（筐体１の突出穴から突出された突出部）がスプリング４４の付勢力に反して筐体１の外部から内部に向かって押圧されていないときには、円柱部材４３の鍔部４３ａが筐体１の背面部１ｂの内面に当接して保持される。また、円柱部材４３の一方端部の上端面は清掃穴１０から露出しているが、その円柱部材４３の一方端部の上端面は通風経路Ｘの内壁面に対して略面一となる。さらに、円柱部材４３の一方端部に固着された清掃部材４３については、通風経路Ｘ内に位置しているものの、放電電極４１ａ（４１ｂ）には接触しない。
【００８５】
一方で、円柱部材４３の他方端部（筐体１の突出穴から突出された突出部）がスプリング４４の付勢力に反して筐体１の外部から内部に向かって押圧されると、清掃穴１０を介して円柱部材４３の一方端部が通風経路Ｘ内に突出する方向に移動する。すなわち、通風経路Ｘ内において清掃部材４３が移動し、放電電極４１ａ（４１ｂ）に清掃部材４３が接触する。これにより、清掃部材４３による放電電極４１ａ（４１ｂ）の清掃が行われる。
【００８６】
円柱部材４３の他方端部に対する押圧およびその押圧の解除は、蓋部材４の開閉動作に連動してなされる。すなわち、蓋部材４が閉じられると、蓋部材４によって円柱部材４３の他方端部に対する押圧がなされ、蓋部材４が開かれると、蓋部材４による円柱部材４３の他方端部に対する押圧が解除される。
【００８７】
第４実施形態では、上記のように構成することによって、第１実施形態の効果と同様の効果を得ることができる。
【００８８】
なお、第４実施形態の構成において、蓋部材４が閉じられたときに、清掃部材４３が放電電極４１ａ（４１ｂ）の先端部よりも筐体１の前面部１ａ側に位置するように設定してもよい。この場合には、蓋部材４を閉じる最中、および、蓋部材４を開ける最中のそれぞれの期間に清掃部材４３が放電電極４１ａ（４１ｂ）に接触し、清掃部材４３による放電電極４１ａ（４１ｂ）の清掃が行われることになる。
【００８９】
今回開示された実施形態は、すべての点で例示であって制限的なものではないと考えられるべきである。本発明の範囲は、上記した実施形態の説明ではなく特許請求の範囲によって示され、さらに、特許請求の範囲と均等の意味および範囲内でのすべての変更が含まれる。
【００９０】
たとえば、上記実施形態では、送風ファンを設けるようにしたが、本発明はこれに限らず、送風ファンを設けなくてもよい。この場合には、イオン風のみでイオンをイオン発生装置の外部に放出することになるが、極近くの空間にイオンを放出することに特化した携帯型のイオン発生装置であれば、十分に目的を達成できる。
【００９１】
また、上記実施形態の構成において、イオン発生素子に誘導電極（対向電極）が設けられていてもよい。
【００９２】
また、上記実施形態の構成において、蓋部材が筺体に対して着脱可能となっていてもよい。
【符号の説明】
【００９３】
１  筺体
４  蓋部材
５、３１、４１  イオン発生素子
５ａ、５ｂ、３１ａ、３１ｂ、４１ａ、４１ｂ  放電電極
８、４２  清掃部材
９、４３  円柱部材（突起）
１０  清掃穴（穴部）
１１  コイルスプリング（弾性部材）
２２  貫通穴（穴部）
３１ｅ  突起
３２、４４  スプリング（弾性部材）
Ｘ  通風経路
【図１】
2012151077.tif 000003
【図２】
2012151077.tif 000004
【図３】
2012151077.tif 000005
【図４】
2012151077.tif 000006
【図５】
2012151077.tif 000007
【図６】
2012151077.tif 000008
【図７】
2012151077.tif 000009
【図８】
2012151077.tif 000010
【図９】
2012151077.tif 000011
【図１０】
2012151077.tif 000012
【図１１】
2012151077.tif 000013